(57)【要約】【課題】  接着剤を使用する場合の製造コストを低くし、高齢者や弱視者への配慮を考慮したジグザグ状に折り畳んでなるラベルを提供することを目的とする。【解決手段】  長尺形状の基材をジグザグ状に折り畳んでなるラベル１０において、前記ラベル１０はジグザグ状に折り畳む折り目で偶数個に区分された単位基材１３が連接され、前記連接された単位基材１３のうち、両端に位置する端部単位基材１４の対向面側の端辺の少なくとも一方の両角部に再剥離可能な接着部１１を設け、前記連接された単位基材１３の偶数番目の折り目の両角部をカットすることで前記端部単位基材１４どうしが再剥離可能に接着されることにより、上記課題を解決した。【選択図】  図１
2014139607.tif 000002
【特許請求の範囲】
【請求項１】
長尺形状の基材をジグザグ状に折り畳んでなるラベルにおいて、前記ラベルはジグザグ状に折り畳む折り目で偶数個に区分された単位基材が連接され、前記連接された単位基材のうち、両端に位置する端部単位基材の対向面側の端辺の少なくとも一方の両角部に再剥離可能な接着部を設け、前記連接された単位基材の偶数番目の折り目の両角部をカットすることで前記端部単位基材どうしが再剥離可能に接着されていることを特徴とするジグザグ折りラベル。
【請求項２】
前記端部単位基材の接着部形成面と反対側の面に連なる単位基材面であって、前記端部単位基材以外の前記連接された単位基材の対向面側の少なくとも一部に再剥離可能な接着部を設けたことを特徴とする請求項１に記載のジグザグ折りラベル。
【請求項３】
前記再剥離可能な接着部は、前記単位基材の奇数番目の折り目の対向する少なくとも一方の端辺に近い領域に設けたことを特徴とする請求項２に記載のジグザグ折りラベル。
【請求項４】
前記端部単位基材の表出面の一方に接着剤が設けられてなることを特徴とする請求項１〜３のいずれか一項に記載のジグザグ折りラベル。
【発明の詳細な説明】
【技術分野】
【０００１】
本発明は、ジグザグ折りラベルに関し、さらに詳しくは長尺形状の基材をジグザグに折り畳んでなるラベルに関するものである。
【背景技術】
【０００２】
従来からジグザグ折りラベルには種々のものが知られている。例えば、特許文献１に記載されている蛇腹状ラベルは、向かい合う予定の各折り合わせ面の一方にシール層が設けられ他方に離型層が設けられている横長のシート部材を、各折り合わせ面の境界で折り畳み、全体を熱シールして各折り合わせ面を仮接着していることを特徴とするものである。
【先行技術文献】
【特許文献】
【０００３】
【特許文献１】実開平５−７３６７３号公報
【発明の概要】
【発明が解決しようとする課題】
【０００４】
物品や商品などに貼付する従来のジグザグ折りラベルは用紙全面に接着剤を設けたり、複数面に接着剤を塗布したりするので製造コストが高くなっていた。さらにそのようにして製造されたジグザグ折りラベルは、ジグザグ折りラベルを開くのに、手間と時間がかかっていた。また、２つ折りや３つ折りのラベルの場合は、掲載する情報量が制限されるという課題があった。そのため掲載する情報の文字フォントを小さくしているので、高齢者や弱視者は掲載情報を見ることなくラベルを廃棄してしまうことが多く、商品のＰＲができなくなるという課題もあった。
【課題を解決するための手段】
【０００５】
そこで、本発明に係わるジグザグ折りラベルは、以下の各態様により上記課題を解決した。
【０００６】
本発明にかかわる第１の態様は、長尺形状の基材をジグザグ状に折り畳んでなるラベル（１０）において、前記ラベル（１０）はジグザグ状に折り畳む折り目で偶数個に区分された単位基材（１３）が連接され、前記連接された単位基材（１３）のうち、両端に位置する端部単位基材（１４）の対向面側の端辺の少なくとも一方の両角部に再剥離可能な接着部（１１）を設け、前記連接された単位基材（１３）の偶数番目の折り目の両角部をカットすることで前記端部単位基材（１４）どうしが再剥離可能に接着されていることを特徴とするジグザグ折りラベル（１０）である。
【０００７】
本発明にかかる第２の態様は、第１の態様において、前記端部単位基材（１４）の接着部形成面と反対側の面に連なる単位基材面であって、前記端部単位基材（１４）以外の前記連接された単位基材（１３）の対向面側の少なくとも一部に再剥離可能な接着部（１２）を設けたことを特徴とするジグザグ折りラベルである。
【０００８】
本発明にかかる第３の態様は、第２の態様において、前記再剥離可能な接着部（１２）は、前記単位基材（１３）の奇数番目の折り目の対向する少なくとも一方の端辺に近い領域に設けたことを特徴とするジグザグ折りラベルである。
【０００９】
本発明にかかる第４の態様は、第１から第３の態様のいずれか一つの態様において、前記端部単位基材（１４）の表出面の一方に接着剤層（２１）が設けられてなることを特徴とするジグザグ折りラベルである。
【発明の効果】
【００１０】
本発明によれば、所定の接着部に再剥離可能な接着剤を形成するため、接着部の面積が小さく、接着剤使用量の低減が可能となるという効果がある。
【００１１】
さらに、本発明によれば、ジグザグ折りラベルを開くときも、手間や時間がかからないという効果もある。
【００１２】
さらに、本発明によれば、分厚いジグザグ折りラベルを低コストで作製することが可能となるという効果もある。
【図面の簡単な説明】
【００１３】
【図１】本発明にかかるジグザグ折りラベルの見開いた状態を示す概略平面図である。
【図２】本発明にかかるジグザグ折りラベルの概略断面図である。
【図３】本発明にかかるジグザグ折りラベルの使用形態を示す図である。
【発明を実施するための形態】
【００１４】
次に、本発明の実施の形態について、図面を参照してさらに詳述する。
図１は、本発明にかかるジグザグ折りラベル１１の見開いた状態を示す概略平面図である。
【００１５】
図１において、１１は接着部、１２は接着部、１４は端部単位基材、１３は単位基材を示している。接着部１１は図１において両角部が三角型形状をしているが、接着部１１に接着剤が形成されていればよいので必ずしもこの形状でなくてもよい。
【００１６】
接着部１１の面積は、端部単位基材１４の面積に対して５％未満の場合は、接着強度が維持できず流通及び搬送時に剥がれてしまうため、接着部１１の面積が端部単位基材１４の面積に対して５％〜２０％有することが好ましい。さらに好ましくは８％〜１２％の範囲である。
【００１７】
接着部１２の領域は、端部単位基材１４の接着部形成面と反対側に連なる単位基材面にあり、折り目に近い領域に設けられている。
【００１８】
接着部１１および接着部１２に用いられる接着剤としては、剥離または再剥離可能な接着剤であればよいが、ジグザグ折りラベルに記載している情報がセキュリティー性を要求される場合には、剥離可能でかつ再接着不可もしくは困難な接着剤を用いることが好ましい。
【００１９】
接着剤の材料としては、綺麗に剥がすことが可能な弱接着糊、圧着葉書用の接着剤、例えば熱可塑性樹脂系、天然樹脂系、アクリル系、ゴム系、ワックス系、酢酸ビニル系、デキストリン系等の材料を好適に用いることができる。
【００２０】
ジグザグ折りラベル１０の端部単位基材１４あるいは単位基材１３一面分の厚みは１０μｍ〜１５０μｍの範囲が好適で折り曲げ可能な基材が好ましい。端部単位基材１４あるいは単位基材１３の一辺の長さは１０ｍｍ〜２９８ｍｍの範囲が好ましい。ジグザグ折りラベル１０全体の厚みは対向面側の端部単位基材１４どうしを接着できる程度の厚さが好ましい。
【００２１】
本発明のジグザグ折りラベル１０の材料は特に限定されず、例えば、タック紙、グラシン紙、合成紙（ポリオレフィン系、ポリスチレン系、ポリエステル系等）、上質紙、中質紙、アート紙、コート紙、キャストコート紙、ポリエステル、ポリアクリレート、ポリカーボネート、ポリウレタン、セルロース誘導体、ポリエチレン、エチレンー酢酸ビニル共重合体、ポリプロピレン、ポリスチレン、アクリル、ポリ塩化ビニル等の各種プラスチックフィルム又はシートが使用できる。
【００２２】
（変形例）
連接された単位基材１３の偶数番目の折り目の両角部をカットしているが、カットの仕方は、端部単位基材１４の接着部１１が対向面側の端部単位基材１４と接着可能なようにカットできればよい。従って、図１のように単位基材１３の両側全部をカットする必要はなく使用目的に応じて単位基材１３を適宜カットすればよい。カット形状は図１ではV字型形状であるが丸型形状や四角型形状等どのような形状でもよい。
【００２３】
図２は、本発明にかかるジグザグ折りラベルの概略断面図である。２１は接着剤層を、２２は剥離紙を示している。接着剤層２１は商品３１や対象物品に貼付するために設けられた層であり、通常は剥離不可能な接着剤を用いているが、剥離可能な接着剤を用いてもよい。実際には、剥離紙２２を剥がして商品３１や対象物品に貼付して使用する。
【００２４】
図３は、本発明にかかるジグザグ折りラベルの使用形態を示す図である。図３において、１０はジグザグ折りラベル、３１は商品を示している。図３においてジグザグ折りラベル１０は、ジグザグ状に折り畳まれており商品をＰＲするための情報が記載されている。ジグザグ折りラベル１０は商品３１に接着されており、例えば、「ここをめくってね」と記載してある三角形状の指示部分を指でめくり開くことによりジグザグ折りラベル１０に表記されている内面情報を読むことができる。
商品３１は形状、材質ともどのようなものを用いてもよく、物品であれば紙製品、プラスチック製品、金属製品等を好適に用いることができる。
ジグザグ折りラベル１０は、飲料商品、お土産、加工食品などの食品表示や成分表示のラベルとして使用することができ、企業や商品ＰＲとしてのラベル、プレゼントキャンペーンなどのラベルとして好適に使用することができる。
【符号の説明】
【００２５】
１０  ジグザグ折りラベル
１１  接着部
１２  接着部        
１３  単位基材
１４  端部単位基材
２１  接着剤層
２２  剥離紙
３１  商品
【図１】
2014139607.tif 000003
【図２】
2014139607.tif 000004
【図３】
2014139607.tif 000005